(57)【要約】本発明はおむつ、失禁製品、衛生ナプキン、パンティライナーなどの如き吸収物品（５）とともに使用するためのインサート（１）に関する。インサート（１）は上側（１５）及び下側（１６）を有し、かつ使用中装着者の皮膚から離れて吸収物品（５）を維持することを意図される本質的に尿を吸収しないスペーサ要素（２）を含む。インサート（１）は前記スペーサ要素（２）に対して位置される本質的に尿を吸収しない液体透過性保持層（３）も含み、その保持層（３）が排泄物を保持できることを特徴とする。
2005520625.tif 000002
【特許請求の範囲】
【請求項１】
おむつ、失禁製品、衛生ナプキン、パンティライナーなどの如き吸収物品（５）とともに使用するためのインサート（１）であって、そのインサート（１）が上側（１５）及び下側（１６）を有し、かつ使用中装着者の皮膚から離れて吸収物品（５）を維持することを意図される本質的に尿を吸収しないスペーサ要素（２）を含むものにおいて、インサート（１）が前記スペーサ要素（２）に対して位置される本質的に尿を吸収しない液体透過性保持層（３）も含み、その保持層（３）が排泄物を保持できることを特徴とするインサート。
【請求項２】
前記下側（１６）がインサート（１）の使用中吸収物品（５）に面することを特徴とする請求項１に記載のインサート。
【請求項３】
保持層（３）がスペーサ要素（２）によって画成されかつ規定される領域と同じサイズである範囲を有することを特徴とする請求項１又は２に記載のインサート。
【請求項４】
保持層（３）がスペーサ要素（２）によって画成されかつ規定される領域と同じか又はそれより大きいサイズである範囲を有することを特徴とする請求項１又は２に記載のインサート。
【請求項５】
保持層（３）がその構造のため、吸収物品（５）に接着できることを特徴とする請求項１〜４のいずれかに記載のインサート。
【請求項６】
前記スペーサ要素（２）が矩形の横断面を有することを特徴とする請求項１〜５のいずれかに記載のインサート。
【請求項７】
前記スペーサ要素（２）が排泄物のための貯蔵空間（１４）を規定する請求項１〜６のいずれかに記載のインサートにおいて、貯蔵空間（１４）が前記スペーサ要素（２）によってその水平範囲において境界づけられていることを特徴とする請求項１〜６のいずれかに記載のインサート。
【請求項８】
貯蔵空間（１４）がサドル形状であることを特徴とする請求項７に記載のインサート。
【請求項９】
貯蔵空間（１４，１７）が矩形であることを特徴とする請求項７に記載のインサート。
【請求項１０】
多数の貯蔵空間（１４，１７）が貯蔵空間（１４，１７）の格子を形成することを特徴とする請求項９に記載のインサート。
【請求項１１】
インサート（１）が化学コンシステンシー剤も含むことを特徴とする請求項１〜１０のいずれかに記載のインサート。
【請求項１２】
インサート（１）が液体透過性吸収材料も含むことを特徴とする請求項１〜１１のいずれかに記載のインサート。
【請求項１３】
保持層（３）が親水性を有することを特徴とする請求項１〜１２のいずれかに記載のインサート。
【請求項１４】
保持層（３）が網状フォームからなることを特徴とする請求項１〜１３のいずれかに記載のインサート。
【請求項１５】
保持層（３）が保持層（３）の全体積の８０〜９９％、好ましくは９６〜９８％である自由体積を有することを特徴とする請求項１〜１４のいずれかに記載のインサート。
【発明の詳細な説明】
【技術分野】
【０００１】
本発明はおむつ、失禁製品、衛生ナプキン、パンティライナーなどの吸収物品とともに使用するためのインサートに関する。インサートは上側及び下側を有し、使用中装着者の皮膚から離れて吸収物品を維持するために意図される本質的に尿を吸収しないスペーサ要素を含む。
【背景技術】
【０００２】
子供及び大人のためのおむつの如き吸収物品の長期間の使用が様々なタイプの皮膚炎症を生じうることが長い間知られている。皮膚炎症は装着者の皮膚が吸収物品の湿った表面と接触するか又は装着者の皮膚がおむつ中に存在する排泄物と接触する結果として様々なタイプの湿分関連問題又は機械的作用のための摩擦において生じうる。この明細書では、排泄物は糞便を意味する。
【０００３】
排泄物に関する限り、皮膚炎症の問題は特に排泄物が尿と混合されるときに起こる。なぜならばかかる混合は特にアンモニア、酵素及び多量の細菌を含む公知の反応を開始するからである。さらに排泄物と尿の混合は皮膚がある他の方法で、例えば摩擦又は他の機械的作用によって損傷又は影響されるときに特に大きな範囲で装着者の皮膚に影響する。
【０００４】
おむつ皮膚炎
幾つか要因の相互作用がおむつ皮膚炎の発達に導く。湿った皮膚は摩擦及び圧力が皮膚をより簡単にこすることを意味する。高い湿分含有量はまた、炎症物質による皮膚の透過が増加しうること、及び細菌及び真菌がかなりの範囲で成長することを意味する。皮膚の閉塞及び尿中の尿素のアンモニアへの分解はｐＨの増加を生じる。高いｐＨ値は排泄物中の微生物から及び腸から生じる酵素（リパーゼ及びプロテアーゼ）が皮膚を破壊できることに導く。これは様々な要因が互いに促進し増強する悪循環に容易になりうる。
【０００５】
皮膚炎が生じるのを避ける最良の方法はおむつ皮膚炎プロセスを作りかつ支持する要因を妨げる環境を作ることによる。装着者は皮膚をできるだけ乾燥するように維持し、皮膚を頻繁に通気し、湿ったおむつを交換することが望ましい。機械的剪断力は、できるだけ滑らかで柔らかい材料を選択し、おむつと皮膚の間の摩擦を減らすことによって最小にされるべきである。柔らかにする保護ローション又はクリームを皮膚に適用することによって、炎症物質及び酵素による透過に対してバリヤーを強めることもできる。皮膚炎のより深刻な場合には、微生物は損傷した皮膚に感染し、より活性のある薬での治療が要求される。そのときコルチゾン及び様々な殺真菌剤及び殺細菌剤を含む軟膏が使用される。
【０００６】
排泄物及び尿を受ける吸収物品と関連した上述の問題を解決する様々な方法、特に排泄物を尿と分離するためのインサートの如き様々な配置を使用する方法又は皮膚と吸収物品の間の界面から液体を輸送するためのインサート又は様々な材料を使用する方法が提案されている。
【０００７】
ＷＯ９９／６０９７５は排泄物が収集されることを意図される領域を形成するかなり非圧縮性のスペーサ要素を有する配置を含む吸収物品を開示する。なるほど非圧縮性スペーサ要素が装着者の皮膚から離れた領域に存在する排泄物の幾らかを保持することができるが、開放“ボックス”の形の領域を単に与えることはその領域に存在する排泄物がいずれにせよ制御なしで自由に動くことを可能にする。これは例えば排泄物、特に緩い排泄物が装着者の皮膚と接触するような量で領域内に局所的に蓄積するような方法で領域内で動く可能性を生じる。さらに、緩い排泄物は装着者の皮膚に対してはね返すことができるような方法で装着者の動きのため領域内で動くことができる。
【０００８】
ＷＯ９９／０７３１７は液体との接触で膨潤し排泄物のための容器を形成する配置を含む吸収物品を開示する。かかる配置の一つの問題はそれが膨潤体において材料の大きな要求を作ること及び配置の機能がそれが十分な量の湿分に暴露されることに依存することである。さらに、その配置はＷＯ９９／６０９７５と同じ機能問題に導く。
【０００９】
ＷＯ９８／１７２１９は排泄物を収集するための固定した配置を含む吸収物品を開示する。その配置は吸収物品の中央部分に配置された弾性的に圧縮可能な材料から作られたリングからなる。その配置は配置の周囲に沿って溝を備え、それは液体が配置によって境界づけられる領域から外に移行することを可能にする。過度に圧縮可能な材料を含む配置はその形状を維持する配置の問題を生じ、さらに前記溝はある量の液体排泄物が配置から外に流れて皮膚と接触するおむつの部分上に広がることを可能にする。
【００１０】
ＥＰ１０６４８９８は尿及び排泄物の両方を扱うことを意図される吸収物品又はインサートを開示する。その物品は多数の穴を有する上部層から構成され、その上部層は排泄物のための保持層の上に位置され、その保持層は液体／湿分吸収層の上に位置される。保持層は多数のキャビティを有する構造を持つ。
【００１１】
吸収物品は弾性的に変形可能な漏出バリヤーを有し、それは側部漏出を除くために装着者の皮膚に対してきつく適合することを意図され、かつ尿及び排泄物が横たわることを意図される領域を包囲及び規定する。漏出バリヤーはまた、吸収物品の外縁を規定する。上述の様々な層が漏出バリヤーによって規定される領域において及び漏出バリヤーの内側に対して位置される。
【００１２】
液体／湿分吸収層は二つの層の間に間隙が生じるような方法で保持層に対して位置される。
【００１３】
間隙の目的はキャビティを介して保持層を通過する排泄物が間隙によって規定された空間に保持されることである。
【００１４】
ＥＰ１０６４８９８によれば、キャビティは２０−５００ｍｍ２のサイズを有する穴と同じか又はそれより大きいサイズを有し、それは排泄物の大部分が保持層を通過して間隙によって構成されるキャビティに行くことを意味する。
【００１５】
なるほどＥＰ１０６４８９８は排泄物を保持する配置を開示するが、それは不必要に複雑であり、間隙によって構成される空間は圧縮されることができる。それゆえ排泄物を貯蔵する可能性は制限される。さらに、漏出バリヤーは装着者の皮膚が上部層から離れて輸送されない排泄物と接触する可能性が存在するような方法で弾性的に変形可能である。
【００１６】
なるほど排泄物を尿から分離するか又は特別な空間に排泄物を単に保持する今日知られているインサートはある程度機能するが、皮膚と排泄物／尿の間の接触の結果として生じる皮膚炎症の問題を低減するように装着者の皮膚を排泄物と接触しないように保つための改良された能力を有する吸収物品を得ようとする望みがなお残っている。排泄物を尿から分離しない従来公知の吸収物品は吸収物品に存在する排泄物と装着者の皮膚の間の接触をなお可能にし、それは皮膚炎症の危険を伴なう。かかる物品は装着者に面する吸収物品の部分の乾燥表面を作る目的のため皮膚と吸収物品の間の界面から離れる方向への液体の良好な輸送を有することのみを特徴とする。
【００１７】
それゆえ、排泄物及び尿を受けることができるが吸収物品が使用されるときに皮膚と排泄物の間の接触を少なくするか又は完全に減らす吸収物品での問題を解決しようとする望みが存在する。
【発明の開示】
【００１８】
本発明は吸収物品に使用されることを意図される排泄物（糞便）のための特別な貯蔵配置を含む、おむつ、失禁製品、衛生ナプキン、パンティライナーなどの従来公知の吸収物品の上で示された問題を解決することを目的とする。本発明によれば、排泄物のためのかかる貯蔵配置はインサートを含み、そのインサートは上側及び下側を有する。インサートは使用中装着者の皮膚から離れて吸収物品を維持する本質的に尿を吸収しないスペーサ要素を含む。
【００１９】
本発明に従って作られたインサートはそれが前記スペーサ要素に対して位置される本質的に尿を吸収しない液体透過性保持層も含み、その保持層が排泄物を保持できることを特徴とする。
【００２０】
上述のように、インサートは吸収物品に使用されることを意図される。吸収物品は典型的には装着者の皮膚に対して横たわることを意図される液体透過性表面層、装着者から放出される液体の吸収のための吸収体、及び不透過性裏打ちを含む。吸収物品は広げられたときにＸ方向及びＹ方向の長さ範囲及び幅範囲及びＺ方向の高さ（厚さ）を有するものとして記載されることができる。インサートの使用中、インサートの下側は吸収物品の表面層に対して位置されることが好ましい。
【００２１】
本発明の一つの例によれば、保持層は構造の内側に位置され、その構造は一以上のスペーサ要素によって規定及び画成される。保持層は保持層が構造の内側のスペーサ要素に対して位置されるような方法で位置されることが好ましい。スペーサ要素は装着者の皮膚がインサートの使用中保持層と接触することから防止されるような方法で設計される。
【００２２】
本発明の前記例によれば、前記スペーサ要素は保持層とともに排泄物のための貯蔵空間を画成及び規定される。貯蔵空間は前記スペーサ要素によってその水平範囲において画成され、インサートの使用中、スペーサ要素、保持層及び装着者の皮膚によって画成される体積からなる。
【００２３】
それゆえ前記例における保持層の範囲は貯蔵領域によって規定される領域、即ちスペーサ要素によって画成及び規定される領域に相当する。
【００２４】
本発明の前記例では、保持層はスペーサ要素によって画成される領域の内側に位置されることが好ましい。保持層はスペーサ要素の内側境界表面に対して保持層の縁部分を伴なって位置される。さらに保持層はインサートの下側から離れて及びインサートの内側から離れてスペーサ要素に対して位置される。保持層は例えばスペーサ要素の高さの中央に、又はインサートの上及び下側から別の好適な距離に位置されることができる。インサートの使用中、スペーサ要素は装着者の皮膚から離れて保持層を維持し、それは保持層に保持される排泄物が装着者の皮膚と接触しないことを意味する。前記例によるインサートの使用中、スペーサ要素はさらに吸収物品から離れて保持層を維持し、それは保持層に保持される排泄物が吸収物品から毛管力を受けないことを意味する。これはある場合において、例えば吸収物品が排泄物が物品と接触することが好ましくないという性質を持つとき有利であることができる。
【００２５】
貯蔵空間はインサートの使用中に尿及び排泄物を受けることを意図される。貯蔵空間は極めて長い間排泄物又は尿を貯蔵することを意図されるが、ある範囲の領域内で尿及び排泄物を含有することだけを意図される。貯蔵空間は多量の尿及び排泄物が短時間に貯蔵空間に貯蔵されることを可能とすると同時に、側部漏出の危険なしで尿が保持層を通過し、排泄物が排出され保持層の構造中に実質的に保持されることを可能にする。
【００２６】
本発明によれば、スペーサ要素又は多数のスペーサ要素は多数の様々な形状、例えばサドル形状、円形又は矩形で貯蔵空間の範囲を画成することができる。貯蔵空間はまた、多数のスペーサ要素によって、多数の貯蔵空間が貯蔵空間の格子（マトリックス）を形成するような方法で画成及び造形されることができる。
【００２７】
本発明の別の例によれば、保持層はスペーサ要素構造の外側上にかつスペーサ要素に対して位置される。吸収物品における前記例によるインサートの使用中、保持層はスペーサ要素と吸収物品の間に位置される。
【００２８】
本発明の前記例では、保持層はスペーサ要素の範囲と同じサイズを有する範囲を持つ。明細書において、スペーサ要素の範囲はスペーサ要素の最外部分によって記載されることができる最大領域を意味する。スペーサ要素は例えば自転車のサドル形状の幾何学的形状を有する範囲を持ち、保持層は自転車のサドル形状の幾何学的形状に対応する範囲を持つ。前記例では、保持層はスペーサ要素の下側に適用され、それゆえインサートの下側を構成する。
【００２９】
スペーサ要素が多数のスペーサ要素からなる場合には、スペーサ要素の範囲はスペーサ要素の最外部分の間に線を引くことによって記載されることができる最大領域を意味する。
【００３０】
本発明のさらなる例によれば、保持層はスペーサ要素の範囲より大きい範囲を有する。
【００３１】
上述の例によれば、保持層はそれゆえスペーサ要素によって規定及び画成される領域と同じか又はそれより大きい範囲を有する。即ち、保持層はスペーサ要素の最外部分によって記載されることができる領域と同じか又はそれを越える範囲を持つことができる。スペーサ要素が多数の広げられたスペーサ要素からなる場合には、“スペーサ要素の最外部分”という用語は線がスペーサ要素の前記部分の間に引かれるときの最大領域を記載しかつ互いに最も遠くに離れて位置するスペーサ要素の部分を意味する。
【００３２】
本発明の他の例では、保持層は装着者の皮膚から離れて吸収物品を維持することを意図されるスパイクの形の多数のスペーサ要素からなる配置に位置されることができる。かかるスパイク／スペーサ要素は保持層の選択された部分上、例えば保持層の周囲に及び／又は保持層の範囲の又は保持層の表面上の選択された場所に位置させることができる。スパイクの形のスペーサ要素は好適な材料、例えばプラスチック、フォーム、不織布などの気泡からなることもできる。
【００３３】
上述の例に従って保持層を配置することによって、排泄物の排出が促進され、保持層がその構造によって排泄物を保持することを容易にする。保持層の構造は開放多孔質構造を有する網状型であることが好ましい。それは以下により詳細に記載されるだろう。
【００３４】
本質的に尿を吸収しないとは、インサートの構成部分が好ましくは湿潤が起こった後にいかなる尿も保持すべきでないことを意味する。保持層は好適には液体を輸送するか、又は少なくともいかなる大きな程度にも液体が吸収体に到達することを妨げないべきである。純粋に実際的な点に関して、繊維間及び様々なキャビティに生じる毛管力のため繊維構造に一滴又は二、三滴の液体が保持されることは実際に避けることができない。しかしながら、これは望ましくなく、本発明によれば最小にされる。
【００３５】
それゆえインサートは本質的に尿を吸収しないものであり、これは液体透過性表面層における孔又は穴がふさがって液体が吸収芯中に浸入し芯によって吸収されるのを妨げないようにすべきであるためである。繰り返し湿潤が起こるとき液体が表面層を通って輸送されることもできるべきである。他方、インサートはある程度吸収性でなければならない。なぜならばその目的は糞便を保持することであるからである。それゆえ保持層は好適な親水性を有するように処理されることができるか又は好適な親水性を有する好適な材料からなることができる。
【００３６】
保持層が表面層をブロックしないために、それは負荷を受けたときであっても液体透過性であること（即ち、それは液体が表面層を通って浸入することを妨げないこと）が重要である。それゆえ保持層は低い圧縮性を有する材料、例えば開放多孔質構造を有する網状フォームからなることが好ましい。もし網状フォームが保持層のための材料として使用されるなら、網状フォームは保持層の全体積の８０〜９９％、好ましくは９６〜９８％である自由体積を有するべきである。網状フォームの全体積の９７％を有する自由体積を有する網状フォームを使用することが有利であることが試験によって示された。網状フォームの述べた特性及び自由体積はネット状構造を有する他の材料を使用して達成されることもできる。例えば開放詰物構造を使用することができ、その詰物構造は尿を通過させ排泄物を保持することができることを意図される。
【００３７】
それゆえ保持層は少なくとも一つの方向において、即ちＸ，Ｙ又はＺ方向において、好ましくは全ての方向において液体透過性であるべきである。保持層は例えば吸収物品の液体透過性表面層に沿った構造中のキャビティ、特定の領域における高くなった又は低くなった部分又は他の三次元構造によって保持層を通る液体の透過を純粋に物理的に容易にするように設計されることもできる。使用中吸収物品に対して横たわることを意図される保持層の表面上に、追加材料は異なる三次元構造が得られるような方法で取り付けられることもできる。
【００３８】
装着者が敏感な皮膚を持ち、発疹、炎症又は床ずれを持つかもしれないか又は持つとき、敏感な皮膚の表面が摩擦を受けないことが重要である。摩擦が純粋に物理的に皮膚に外的損傷を生じうることに加えて、摩擦はまた、皮膚が排泄物、尿及びそれによって作られた極端な状態の如き他の外的影響に対してより敏感になることを生じる。本発明は排泄物と皮膚の間の接触が全くないか又はほとんどないような方法でインサート中に排泄物を保持するインサートによってこの問題を解決する。さらに、本発明によるインサートは摩擦の発生が最小になるような方法で設計される。
【００３９】
適用後、インサートは吸収物品に取り付けられることによって吸収物品に適所に保持される。使用中吸収物品に対して横たわることを意図されるインサートの表面はそれゆえ保持効果を増大するために吸収物品に対してできるだけ高い摩擦を有するべきである。インサートの表面が高い摩擦を持つためには、例えば接着剤材料、即ち接着剤又は別の好適な材料から作られた取り付けの手段のある形態を使用することが好適である。取り付けの手段は保持層の位置決め及びインサートの設計に依存してインサートの全て又は一部に適用されることができる。取り付けの手段は例えば保持層全体に沿って又はその一部上に又はスペーサ要素に沿って配置されることができる。
【００４０】
インサートを吸収物品に取り付けるための別の変形例は例えばタッチアンドクローズファスナー状構造又は吸収物品の表面層に接着する別の好適な三次元構造によって吸収物品に接着できるような方法で保持層を設計することである。
【００４１】
装着者の皮膚がインサートに保持される排泄物とできるだけ少ない接触を持つことができるためには、インサートが例えば座っている装着者によって圧力を受けるときにインサートがその形状を保つ能力を維持することが好適である。これは保持層の所望の特性がそれがある剛性、即ち圧縮に抵抗するある能力を有することであることを意味する。インサートの別の形は吸収材料からなることができ、そこでは吸収材料は有利には多数の穴を含む液体透過性材料の多数の層から構成されることができ、種々の層は種々の穴が互いに対して変位される、即ち穴が互いに整合されないような方法で一緒にもたらされる。その変位された穴によって、吸収材料は液体が吸収材料を通って輸送されると同時に糞便を保持する良好な能力を有する。かかる吸収材料は前に記載したインサートにおける前記保持層と組み合わせて及び／又はスペーサ要素と保持層によって記載される貯蔵空間を完全に又は部分的に満たすために使用されることもできる。
【００４２】
前に記載したインサートにおける前記保持層と組み合わせて及び／又はスペーサ要素によって形成される貯蔵空間に使用するために化学コンシステンシー剤を使用することもできる。化学コンシステンシー剤は化学物質及び適用の領域によって異なる機能を持つ。あるコンシステンシー剤の目的は液体を吸収してゼリー状又は固体のコンシステンシーを生成することであり、それは本発明において有利である。文献ＷＯ００／００２２６，ＷＯ００／００２２８，ＷＯ００／００２３２，ＷＯ００／００２４０及びＵＳ６０１８０９３は本発明のために使用するために好適である多数の様々な化学コンシステンシー剤、例えば石油ベース製品、塩、アミド、ヒドロキシドなど及びそれらの誘導体を述べている。
【００４３】
本発明の記載では、“尿を吸収する”の如き言葉が使用される。それゆえ尿によって意味されるものを知ることが重要である。Ｇｅｉｇｙ  Ｓｃｉｅｎｔｉｆｉｃ  Ｔａｂｌｅｓ，Ｖｏｌｕｍｅ  １（１９８１），“Ｕｎｉｔｓ  ｏｆ  ｍｅａｓｕｒｅｍｅｎｔ，Ｂｏｄｙ  ｆｌｕｉｄｓ，Ｃｏｍｐｏｓｉｔｉｏｎ  ｏｆ  ｔｈｅ  ｂｏｄｙ  ＆  Ｎｕｔｒｉｔｉｏｎ”では、様々な組成の尿の相対粘度がリストされている。蒸留水の相対粘度＝１．００。
【００４４】
上述の表を集めると下記の尿の相対密度を与える。
2005520625.tif 000003
【００４５】
前記表中の表６、第５６頁は相対密度と相対粘度の間の関係を与える。
2005520625.tif 000004
【００４６】
上述の尿の粘度は本発明による尿を規定する助けとして見られる。わかるように、尿という言葉は相対的な言葉であり、尿の粘度は尿の組成に依存する。粘度は病気、液体取込み、年齢、性別、食品取込みなどに依存して変化しうる。粘度はもし尿が高い量の蛋白質、血液又は白血球を含むなら増加する。尿に関する上の規定はそれゆえ明確な値としてではなく目標値として見なすべきである。なぜならば尿の粘度は多数の要因に依存して変動しうるからである。
【００４７】
本発明による尿はそれゆえ人が排尿するときの尿道を通って出てくる液体として理解されるべきであり、上記に従って粘度を有することができるが、それより高い又は低い粘度を有してもよい。
【００４８】
排泄物（糞便）は人が腸の内容物を排泄する肛門開口を通して出す物を意味し、本発明によれば排泄物は尿より高い粘度を有することが好ましい。
【００４９】
本発明の目的、即ち大人おむつ、子供おむつなどに依存して、保持層は例えばより小さい又はより多く湾曲した貫通ダクト、又はより大きい又はより小さい連続気泡によって保持層の構造を変えることによってより多い又はより少ない粘稠な排泄物を保持するように適応されることができる。それゆえ保持層は液体である排泄物を保持することを意図されることが好ましい。
【００５０】
上記本発明の例はさらなる例を形成するために組み合わせることができる。
【００５１】
図面の簡単な記述
本発明は添付図面に示された図面を参照して以下により詳細に記載されるだろう。
図１は本発明の一つの例によるスペーサ要素及び保持層を含むインサートの上からの図を示す。
図２は図１によるインサートの側面図を示す。
図３は図１のＩＩＩ−ＩＩＩの断面図を示す
図４は別の例によるインサートの側面図を示す。
図５は吸収物品とともに使用中の図１−４によるインサートを示す。
図６は吸収物品とともに使用中のさらに別の例によるインサートを示す。
【発明を実施するための最良の形態】
【００５２】
図１−３は本発明の第一例によるインサート１を示し、そのインサート１は上側１５及び下側１６を有し、そのインサート１は本質的に尿を吸収しないスペーサ要素２を含む。本発明に従って作られたインサート１はそれが上部表面１２及び下部表面１３を有する本質的に尿を吸収しない液体透過性保持層３も含み、その保持層３が排泄物（糞便）を保持できることを特徴とする。スペーサ要素２及び保持層は排泄物のための貯蔵空間１４を規定する。スペーサ要素２が貯蔵空間を形成するためにインサートを境界づけることは本発明のために必要ではないが、スペーサ要素２の主な機能は装着者の皮膚から離れて吸収物品５を保持することである。
【００５３】
本発明の記載では、範囲は以下のようにＸ方向及びＹ方向の幾何学的範囲に関し、厚さ又は高さはＺ方向の幾何学的範囲に関する。
【００５４】
図１では、スペーサ要素２の範囲はその外側の境界表面１８によって自転車のサドル形状を記載する。しかしながら、スペーサ要素は例えば矩形又は正方形を記載する外側境界表面を生じる範囲及び形状を持つことができる。
【００５５】
インサートは吸収物品５に使用されることを意図される（図５及び６参照）。吸収物品は典型的には装着者の皮膚に対して横たわることを意図される液体透過性表面層６、装着者から放出される液体の吸収のための吸収体７、及び不透過性裏打ち８を含む。吸収物品は広げたとき、Ｘ方向及びＹ方向（平面）における長さ範囲及び幅範囲及びＺ方向における高さ（厚さ）を有するものとして記載されることができる。即ち、Ｚ方向は広げたとき吸収物品の長さ範囲及び幅範囲に対して直角に吸収物品中に延びるものとして記載されることができる。
【００５６】
インサート１の使用中、インサートの下側１６は吸収物品５の表面層６に対して位置される。図１，２及び３に示された例によれば、これはスペーサ要素２の下側が吸収物品５の表面層に対して位置されることを意味する。
【００５７】
図１−３はスペーサ要素２及び保持層３を含むインサート１を示し、スペーサ要素２及び保持層３は一緒になって自転車のサドル形状、即ち一方の側上で幅広く反対側上で狭い二次元西洋ナシ形状又は“穴を開けられた円”を有する。図１によれば、前記スペーサ要素２は第一高さ９及び第一幅１０を有する矩形横断面の湾曲された又は造形されたストリップからなる。他の例では、スペーサ要素は矩形以外の横断面、例えば円形又は楕円形を有することができる。前記保持層３は第二高さ１１によって記載される厚さを有する
【００５８】
スペーサ要素２はインサートの製造中、例えば接着又は加硫によって好適な形状に組み立てることができる多数の区域からなることができる。スペーサ要素はまた、別個の方法で、例えば押出によって又は別の好適な方法で一片で作られることができる。製造中、スペーサ要素２はまた、例えば押出又は射出成形によって吸収物品５への適用中に造形されることができる（図４）。
【００５９】
図１では、保持層３はスペーサ要素２に対して位置される保持層３を有するスペーサ要素２によって記載される構造の内側に位置されて示される。保持層３はスペーサ要素２が吸収物品と装着者の皮膚の両方から離れて保持層３を維持するような方法でスペーサ要素２に対して位置される。それゆえ保持層３は吸収物品５の表面から離れて位置され、それは保持層３に存在する排泄物に影響しない吸収物品５からの毛管力の如き利点に導く。保持層３はさらに装着者の皮膚から離れて位置され、それは保持層３に存在する排泄物が装着者の皮膚と接触しないという明らかな利点を有する。
【００６０】
保持層３は吸収物品５から様々な距離に位置させることができる。それゆえ保持層３は吸収物品５に直接隣接して、即ちスペーサ要素２の下部に対して、また間隙が吸収物品５の表面と保持層の間に形成されるような距離で位置させることができる。
【００６１】
図１，２及び３では保持層３がスペーサ要素２の内側境界表面１９に対して横たわること及び保持層３がスペーサ要素２の内側境界表面１９によって記載される領域と同じ範囲を有することが見られる。
【００６２】
図２は図１によるインサートの側面図を示し、そこでは保持層３の周囲部分はスペーサ要素２の内側境界表面１９に対して位置する。周囲部分は平面、即ちＸ及びＹ方向における保持層の範囲を境界づける保持層の縁を意味する。
【００６３】
図３は図１のＩＩＩ−ＩＩＩの断面図を示し、それはスペーサ要素２が記載された例において矩形横断面を有する。スペーサ要素２の内側境界表面１９は保持層３の周囲部分に対して横たわり、第一高さ９によって記載される。前記例では、保持層３の周囲部分はスペーサ要素２の幅広い側に対して横たわり、その幅広い側は前記例によればスペーサ要素２の高さによって構成される。保持層３は上記位置でスペーサ要素２に取り付けられることが好ましい。
【００６４】
別の例では、スペーサ要素２は正方形横断面又は矩形横断面を有することができ、スペーサ要素の狭い側は保持層３の周囲部分に対して横たわる。
【００６５】
保持層３はいかなる好適な技術、例えば接着、加硫、又は別の公知の方法を使用してスペーサ要素２に取り付けられることができる。
【００６６】
図２及び３では、保持層３の上部表面１２がインサート１の上側１５から離れて位置されるような方法で保持層３がインサート１に配置されること、及び保持層３の下部表面１３がインサート１の下側から離れて位置されることが見られる。吸収物品におけるかかるインサートの使用中、スペーサ要素２は吸収物品と装着者の皮膚の両方から離れて保持層３を保持する。
【００６７】
図２及び３はまた、スペーサ要素２の下側上の取り付けの手段４を示す。図３による前記取り付けの手段はスペーサ要素の幅１０と同じ範囲を有するが、取り付けの手段はもちろんインサート１の範囲に対応する範囲を有する層であることができる。
【００６８】
図４は本発明の別の例を示し、そこでは保持層３の上部表面１２はスペーサ要素２の下側上、即ちインサートの下側１６上に位置される。保持層３は第一幅１０を構成するスペーサ要素２の側に対して位置される。保持層３の上部表面１２はスペーサ要素２の狭い側に対して位置される。図４は取り付けの手段４が保持層の下部表面１３上に配置されることを示す。取り付けの手段４は図３に示された例のようにスペーサ要素２の幅１０に対応する範囲を有するが、インサート１の範囲に対応する範囲を有する層であることもできる。
【００６９】
図４は保持層３がスペーサ要素２の範囲と同じ範囲を有し、それはインサート１の範囲に対応する。図４に示された例によるインサート１では、取り付けの手段４は取り付けの手段が使用中吸収物品１に対して横たわるような方法で保持層３の下部表面１３に対して位置される。
【００７０】
本発明の別の例では、前記取り付けの手段４は保持層３の特別な設計からなることができる。取り付けの手段４は保持層３中に一体化させることができ、又は保持層３は保持層３の下部表面１３が取り付けの手段を構成するような方法で形成されることができる。保持層３中のかかる一体化された取り付けの手段は保持層３の製造中に製造されるスパイク又は別の接着構造からなることができる。
【００７１】
取り付けの手段は例えばスペーサ要素の製造中、特別な方法で造形されるスペーサ要素２の下側によってスペーサ要素２中に一体化されることもできる。
【００７２】
上述のように、図４は保持物品の上部表面１３に対してスペーサ要素２の狭い部分を有するスペーサ要素２に対して配置された保持層３を示す。本発明の別の例では、スペーサ要素２は保持層３の上部表面１２に対して横たわるスペーサ要素の幅広い側を有する正方形横断面又は矩形横断面を有することができる。
【００７３】
図５は吸収物品５に位置される自転車サドル形状を有するインサート１を示す。インサート１は例えば吸収物品５に位置された図１−４に示された例のいずれか一つによるインサート１であることができる。
【００７４】
インサート１のさらなる例は図６に示され、そのインサート１は多数のスペーサ要素２及び保持層３を含む。スペーサ要素２は各々が貯蔵空間１４を構成する矩形気泡１７を含む矩形マトリックス形状を一緒に規定する。矩形気泡の幾つかは連続気泡である。即ち、それらは少なくとも一つの側面が除去された矩形構造を有する。前記例では、保持層３は上記例のいずれか一つによるスペーサ要素に適用されることができる。それゆえ保持層３は図４に記載された例に従って、保持層３上に位置されるスペーサ要素２を有する吸収物品に対して位置されることができる。保持層３は図２及び３による例に従って上記のように、即ち吸収物品５から離れかつ装着者の皮膚から離れるようにスペーサ要素２に適用された多数の保持層３からなることもできる。
【００７５】
スペーサ要素２及び保持層３は多数の異なる材料からなることができる：例えば、スペーサ要素２及び保持層３は不織布、織物材料、フィルム、発泡体、弾性布、又はこれらの組み合わせの多数の層からなることができる。積層のための好ましい層材料はポリオレフィン、例えば線状低密度ポリエチレン（ＬＬＤＰＥ）、低密度ポリエチレン（ＬＤＰＥ）、超低密度ポリエチレン（ＵＬＤＰＥ）、高密度ポリエチレン（ＨＤＰＥ）、又はポリプロピレン及び／又はこれらの材料の混合物を含むことができる。
【００７６】
使用されることができる好適なポリマー材料の幾つかの例はポリエステル、ポリウレタン、堆肥化可能又は生分解可能ポリマー、感熱性ポリマー、熱可塑性エラストマー、メタリセン触媒ベースのポリマー（例えばＤＯＷ  Ｃｈｅｍｉｃａｌｓから入手可能なＩｎｓｉｔｅ（登録商標）及びＥｘｘｏｎから入手可能なＥｘｘａｃｔ（登録商標））、及び呼吸可能なポリマー又は蒸気透過性（呼吸可能な）材料である。
【００７７】
布は合成布、有孔不織布又はフィルム、巨視的に膨張された三次元フィルム、発泡材料、充填材入り組成物又は積層体及び／又はそれらの組み合わせからなるか又はそれを含むこともできる。不織材料はスパンボンド、液体穿孔、液体交絡、カード、エア結合、カレンダーされることによって又はそれらの組み合わせによって製造されることができる。しかしながら、本発明によれば、スペーサ要素２及び保持層３は本質的に尿を吸収せず（インサートはある条件下では極めて少ない量の液体を保持できる）、スペーサ要素及び保持層の材料はそれゆえ好適な親水性を有する材料、例えば湿潤剤で好適な親水性に処理されたポリオレフィン繊維の如き合成繊維からなるべきである。
【００７８】
前記スペーサ要素２及び保持層３はそれゆえ多数の異なる材料からなることができる。
【００７９】
前記スペーサ要素２は技術分野内で知られた多数の方法で組み立てられた前述の材料の積層体であることができる。前記スペーサ要素２は例えば熱結合、例えばスプレー接着剤、ホットメルト接着剤、ラテックスベースの接着剤などを使用する接着、超音波溶接、又は押出積層（それはポリマーフィルムがなお部分的に溶融状態である間に支持体上に直接置かれ、かくしてそれ自身を支持体に付着することを意味する）によって一緒に積層／接合されることができる。この積層体は弾性パイルの一以上の層、好ましくは圧縮的に弾性及び／又は非弾性のパイルからなることができる。
【００８０】
前記スペーサ要素２はスキンケア製品が装着者へ徐々に部分的に移るような方法で使用中装着者の皮膚に対して横たわるローションなどのスキンケア製品で含浸及び／又は被覆されることもできる。
【００８１】
スペーサ要素２において望ましいと考えられうる他の特性は、負荷が開始した後に少なくともしばらくの間スペーサ要素２がその形状を維持するような方法で変形しにくいか又は負荷後又はその元の形状を回復することである。スペーサ要素２が大きな重量で負荷されるときに完全に一緒に圧縮されないようにスペーサ要素２が十分に剛いか又は圧力抵抗性であることが望ましいかもしれない。これはもちろん前述のようにインサートが使用中保持層上に存在する排泄物に対して保持する態様で機能するためである。また、インサートの保持層がある負荷下で液体を受けることができることが重要である。
【００８２】
矩形横断面のスペーサ要素は０．１〜３ｃｍの第一高さ９及び０．１〜４ｃｍの第一幅１０を有する。長さ／幅の比は例えばスペーサ要素がその幅に対して極めて高いためにそれが曲がるという望ましくない態様で使用中変形されないようにすべきである。第一長さ及び第一幅は吸収物品のサイズ及び装着者の体の形状によって上で示したより大きく又は小さくすることもできる。
【００８３】
述べられたように、保持層３は多数の異なるデザインを持つことができる。保持層３の第二高さ１１は例えば前記スペーサ要素２より小さく又は大きくするか又はそれと同じサイズにすることができる。保持層は特に保持層の構造に受容及び保持される排泄物の計算量によって０．１〜２．０ｃｍの第二高さ１１を有することが有利である。保持層３の第二高さ１１は保持層３上の異なる場所で異なることもできる。即ち、ある三次元構造を存在させることができる。保持層３の材料は特に吸収物品の液体透過性表面層に隣接して、空気透過性及び液体透過性であることが望ましいので、三次元構造は例えば吸収物品の液体透過性表面層に平行に走るダクトなどによってこれを容易にすることができる。三次元構造は例えば貯蔵空間１４，１７に保持層３上の排泄物を保持するために好適であるかもしれない。
【００８４】
図６のように、インサートは矩形形状を持つことができるが、本発明の範囲内ではインサートは三角形又は多角形、楕円形、円形、菱形、不規則形状又は同種形状の如き異なる形状を持つこともできる。インサートは車両、家、植物、数字又は望ましいと考えられうる他の形状を持つこともできる。
【００８５】
スペーサ要素２は特定の構造に限定されないが、望むように設計されることができる。スペーサ要素は糞便のための貯蔵空間を規定することができ、その貯蔵空間１４には保持層３を位置させることができる。他の吸収物品を保持層と組み合わせて貯蔵空間に位置させることもできる。さらにスペーサ要素は二つの部分的に規定された貯蔵空間を伴なってＨ形状にされるか又は多数の規定された貯蔵空間及び多数の部分的に規定された貯蔵空間を伴なってダイヤモンド形状であることができる。さらにスペーサ要素２は貯蔵空間を規定しない開放構造を構成することができる。保持層３はそのときインサート１の領域の範囲に対する境界を構成することができる。スペーサ要素は例えば多数のスパイクからなることができ、そのスパイクは保持層３に取り付けられる。
【００８６】
インサートのサイズは変化させることができる：例えばインサートの上側はほぼ２〜５００ｃｍ２、好ましくは４０〜３５０ｃｍ２、最も好ましくは８０〜２００ｃｍ２の表面積を有することができる。もし必要なら、インサートのサイズは望まれる処理のタイプ、インサートを使用する人、及び吸収物品のタイプ及びサイズに適応させることができる。例えばインサートの製造中廃棄物を最小にするために特別な方法でインサートを設計することと関連した製造関連の利点があるかもしれない。インサートの形状は装着者上に適合されることを意図される場所に依存して変化させることができる。本発明の範囲内ではインサートは吸収物品上のどこかに位置されるので、インサートが異なるサイズ及び形状で利用可能にすることが重要である。一般的な経験則は大きな領域又は大きな装着者に対して大きなインサートを、小さな領域及び小さな装着者に対して小さなインサートを、あるいは大きな領域又は装着者に対して多数の小さなインサートを使用するべきである。領域は排泄物が横たわることが予想される領域を意味する。
【００８７】
上の記載は上で参照したような吸収物品のみとともに使用するものに本発明を制限するものとして見なすべきではなく、おむつ、失禁製品、衛生ナプキン、パンティライナーなどの分野の熟練者に知られた吸収物品の全ての形態が含まれるものとして見なすべきである。
【００８８】
保持層のために好適な多数の可能な材料は上で議論された。好適な材料をさらに示すために、網状フォームからなる保持層３のための材料に関する実験が以下に記載されるだろう。
【００８９】
網状フォームは開放多孔質構造を有する低圧縮性を持つ。もし網状フォームが保持層のための材料として使用されるなら、網状フォームは保持層の全体積（即ち、フォームの全体積）の９０〜９９％の自由体積を持つべきである。試験によって網状フォームの全体積の９６〜９８％、好ましくは網状フォームの全体積の９７％である自由体積を有する網状フォームを使用することが有利であることが示された。
【００９０】
網状フォームの一つのタイプはＢＵＬＰＲＥＮ（登録商標）Ｓであり、それはポリウレタン（ポリエステルベース）から作られた網状フォームである。網状は気泡構造が完全に開放されていかなる閉鎖した気泡も含まないネット状気泡構造を意味する。ＢＵＬＰＲＥＮ（登録商標）Ｓは３０ｋｇ／ｍ３の密度を有する標準化フィルターフォームである。
【００９１】
ＢＵＬＰＲＥＮ（登録商標）Ｓが校正された気泡サイズを有するため、フォームの均一な気泡構造及び三次元ネットワークは理想的なフィルタリング能力を有する。さらに、フォームは多数回振動、洗浄及びリンスされることができ、それはＢＵＬＰＲＥＮ（登録商標）Ｓが多数回の再使用を可能にすることを意味する。
【００９２】
本発明によるインサートは主に使い捨て用途のために意図されるが、適切な材料選択によって再使用可能にすることもできる。さらに、所望の特性を得るために多数の特別な製品でＢＵＬＰＲＥＮ（登録商標）Ｓを含浸させることができる。
【００９３】
ＢＵＬＰＲＥＮ（登録商標）Ｓは網状フォームの全体積の９７％に相当する自由体積を有する。
【００９４】
実験
商業的に公知の吸収製品が実験のために使用され、実験は商業的に公知の吸収体について及び以下に述べられる試験材料で被覆されるときの商業的に公知の吸収体について実施された。
【００９５】
実験は中央に位置される丸い穴を有しかつ１２グラムの重量を有する硬質プラスチック被覆厚紙のシートによってカバーされる試験材料によって実施された。穴のサイズは直径３ｃｍであった。
【００９６】
４ｃｍの内径を有するプラスチック管が穴上に位置された。
【００９７】
シートはプラスチック管とともに約１００〜１２０グラムの圧力を試験材料に適用させた。
【００９８】
パイプは約５０グラムの重量を有する円柱体を与えられた。円柱体のサイズは円柱体が上下に容易にスライドできるような方法で管に適応された。
【００９９】
構成試験材料の全ては試験前後に個々に及び一緒に秤量された。
【０１００】
２５グラムの試験液が管中に置かれ、円柱体が試験液の上に注意深く置かれた。
【０１０１】
円柱体のサイズは試験液が円柱体と管の間で押し上げられることを防止した。
【０１０２】
ほぼ１０分後、残っている試験液を有する管及び円柱体はできるだけ注意深く除去された。
【０１０３】
過剰の試験液は試験材料から極めて注意深く落とされた。
【０１０４】
試験液によって試験片中／上に作られるマークの直径が測定され、その後その面積が計算された。
【０１０５】
試験材料の基本的能力はｇ試験液／ｃｍ２で計算された。
【０１０６】
試験材料１ｇあたり試験材料の能力はそれゆえｇ試験液／ｇ試験材料でも計算された。
【０１０７】
試験された材料はＢｕｌｐｒｅｎ（登録商標）Ｓ１０であり、純粋な材料と、その材料を親水性湿潤剤で含浸させて乾燥したものとの両方であった。乾燥した親水性湿潤剤は親水性効果を生みだす。
【０１０８】
“ｇ”はグラムを表す。
【０１０９】
粘稠な液体：
Ｆｅｃｌｏｎｅ（登録商標）１３−Ｂｒｏｗｎ
２０ｇ乾燥混合＋１４５ｇ水、それ以外はＳｉｌｉＣｌｏｏｎｅ  Ｓｔｕｄｉｏからの指示に従った。
【０１１０】
スピンドルＮｏ．４を有するブルックフィールド粘度計を６０ｒｐｍ及び室温（２２−２３℃）で使用して粘度を測定すると、４８００ｍＰａｓの粘度が測定された。
【０１１１】
実験室の気候：
ほぼ２３℃の周囲空気温度及び５０％ＲＨ
【０１１２】
試料サイズ：
１０×１０ｃｍ
【０１１３】
結果
2005520625.tif 000005
【０１１４】
試験液が大部分について表面上に横たわったときＸ及びＹは計算しなかった。
【０１１５】
本発明は上で示したものに限定されず、添付の特許請求の範囲内で多数の実施態様の形をとることができる。例えば、インサートは吸収物品において特別な方法で配置されたデザインで位置させることができる。
【０１１６】
かかる例はインサートの幅範囲に相当する範囲で除去される前記吸収体の一部によってインサートを受容するように吸収物品に存在する吸収体を適応させることである。かかる場合において、インサートは吸収物品に存在する不透過性裏打ちに対して、またはインサートが位置されることになる吸収物品の部分において吸収体が除去された結果として表面層が不透過性裏打ちに対して横たわるときは表面層に対して直接横たわることができる（表面層は通常、裏打ちと同じ範囲で吸収物品をカバーし、それゆえ“穴”がそこに作られたとしても吸収体全体をカバーする）。インサートのスペーサ要素は幅方向において裏打ち／表面層に対して及び高さ方向において吸収体に対して位置する。インサートはもちろん変更が全くなされていない標準的なおむつ又は同種吸収物品における表面層に対して位置させることができるが、吸収体はインサートによってカバーされる表面層の下に位置する。インサートはそれゆえ吸収物品又は好適な衣料の自由に選択された位置に位置させることができる。
【０１１７】
インサートは吸収体又は不透過性層を持たない衣料においてインサートを使用することができるように液体に対する吸収体及び不透過性層を補うこともできる。
【０１１８】
上記の本発明の例はさらなる例を形成するために組み合わせることができる。
【図面の簡単な説明】
【０１１９】
【図１】本発明の一つの例によるスペーサ要素及び保持層を含むインサートの上からの図を示す。
【図２】図１によるインサートの側面図を示す。
【図３】図１のＩＩＩ−ＩＩＩの断面図を示す
【図４】別の例によるインサートの側面図を示す。
【図５】吸収物品とともに使用中の図１−４によるインサートを示す。
【図６】吸収物品とともに使用中のさらに別の例によるインサートを示す。
【図１】
2005520625.tif 000006
【図２】
2005520625.tif 000007
【図３】
2005520625.tif 000008
【図４】
2005520625.tif 000009
【図５】
2005520625.tif 000010
【図６】
2005520625.tif 000011
【手続補正書】
【提出日】平成16年5月28日(2004.5.28)
【手続補正１】
【補正対象書類名】特許請求の範囲
【補正対象項目名】全文
【補正方法】変更
【補正の内容】
【特許請求の範囲】
【請求項１】
おむつ、失禁製品、衛生ナプキン、パンティライナーなどの如き吸収物品（５）とともに使用するためのインサート（１）であって、そのインサート（１）が上側（１５）及び下側（１６）を有し、かつ使用中装着者の皮膚から離れて吸収物品（５）を維持することを意図される本質的に尿を吸収しないスペーサ要素（２）を含むものにおいて、インサート（１）が前記スペーサ要素（２）に対して位置される本質的に尿を吸収しない液体透過性保持層（３）も含み、その保持層（３）が排泄物を保持でき、排泄物が保持層（３）の構造中に排出及び保持されることを特徴とするインサート。
【請求項２】
前記下側（１６）がインサート（１）の使用中吸収物品（５）に面することを特徴とする請求項１に記載のインサート。
【請求項３】
保持層（３）がスペーサ要素（２）によって画成されかつ規定される領域と同じサイズである範囲を有することを特徴とする請求項１又は２に記載のインサート。
【請求項４】
保持層（３）がスペーサ要素（２）によって画成されかつ規定される領域と同じか又はそれより大きいサイズである範囲を有することを特徴とする請求項１又は２に記載のインサート。
【請求項５】
保持層（３）がその構造のため、吸収物品（５）に接着できることを特徴とする請求項１〜４のいずれかに記載のインサート。
【請求項６】
前記スペーサ要素（２）が矩形の横断面を有することを特徴とする請求項１〜５のいずれかに記載のインサート。
【請求項７】
前記スペーサ要素（２）が排泄物のための貯蔵空間（１４）を規定する請求項１〜６のいずれかに記載のインサートにおいて、貯蔵空間（１４）が前記スペーサ要素（２）によってその水平範囲において境界づけられていることを特徴とする請求項１〜６のいずれかに記載のインサート。
【請求項８】
貯蔵空間（１４）がサドル形状であることを特徴とする請求項７に記載のインサート。
【請求項９】
貯蔵空間（１４，１７）が矩形であることを特徴とする請求項７に記載のインサート。
【請求項１０】
多数の貯蔵空間（１４，１７）が貯蔵空間（１４，１７）の格子を形成することを特徴とする請求項９に記載のインサート。
【請求項１１】
インサート（１）が化学コンシステンシー剤も含むことを特徴とする請求項１〜１０のいずれかに記載のインサート。
【請求項１２】
インサート（１）が液体透過性吸収材料も含むことを特徴とする請求項１〜１１のいずれかに記載のインサート。
【請求項１３】
保持層（３）が親水性を有することを特徴とする請求項１〜１２のいずれかに記載のインサート。
【請求項１４】
保持層（３）が網状フォームからなることを特徴とする請求項１〜１３のいずれかに記載のインサート。
【請求項１５】
保持層（３）が保持層（３）の全体積の８０〜９９％、好ましくは９６〜９８％である自由体積を有することを特徴とする請求項１〜１４のいずれかに記載のインサート。
【国際調査報告】
2005520625.tif 000012
2005520625.tif 000013
2005520625.tif 000014